(57)【要約】【課題】  客がパチンコホールで獲得した遊技玉を安全に清算でき、且つ、不正行為の防止に役立つシステムを提供する。【解決手段】  パチンコホール等の遊技施設に設置され、ネットワークを介して客の獲得した遊技玉数を客のＩＤとともにデータセンターの装置に送信することにより、データセンターの装置に遊技玉数を記憶させるパチンコホールの装置と、データセンターに設置され、パチンコホールの装置から遊技玉数の情報を受信して、これをデジタル景品データに変換するとともにデジタル景品データの清算価格に相当する金額を算出するサーバ、及び、デジタル景品データを保存するとともにその清算価格に相当する金額を保存するデータベースを備えたデータセンターの装置と、清算業者が運用する施設に設置され、データベースに保存されている金額を払い出すキャッシュディスペンサーと、を備えていることを特徴とする。【選択図】  図２
2008229232.tif 000002
【特許請求の範囲】
【請求項１】
パチンコホール等の遊技施設に設置され、ネットワークを介して客の獲得した遊技玉数を客のＩＤとともにデータセンターの装置に送信することにより、前記データセンターの装置に前記遊技玉数を記憶させるパチンコホールの装置と、
前記データセンターに設置され、前記パチンコホールの装置から前記遊技玉数の情報を受信して、これをデジタル景品データに変換するとともに前記デジタル景品データの清算価格に相当する金額を算出するサーバ、及び、前記デジタル景品データを保存するとともに前記清算価格に相当する金額を保存するデータベースを備えたデータセンターの装置と、
前記データベースに保存されている前記金額を払い出すキャッシュディスペンサーと、を備えていることを特徴とする景品の清算システム。
【請求項２】
前記データベースに保存される金額は、景品業者に前記デジタル景品データを販売して得られる金額であることを特徴とする請求項１に記載の景品の清算システム。
【請求項３】
前記キャッシュディスペンサーは、清算業者が運用する施設に設置され、防犯用の各種センサーを備えていることを特徴とする請求項１または２に記載の景品の清算システム。
【発明の詳細な説明】
【技術分野】
【０００１】
本発明は、パチンコホール等の遊技場で獲得した景品を清算するシステムに関する。
【背景技術】
【０００２】
パチンコホールで客が獲得した遊技玉は、先ず、カウンターでカウントされる。そして、客はカウンターからその数が記録されたシートを受け取り、これを景品交換場所に持ち込むことで、遊技玉数に応じた景品と交換することができる。景品交換場所は、通常、パチンコホール内に設けられているが、展示スペースが取れない場合には、カタログ等の景品紹介に基いて、後日、景品を配送するようにすること、そして、供給される景品については、景品業者から供給されるようにすること等、適宜実施されている。また、カウンターでカウントされた数をカードに記録させ、景品交換場所では、そのカードに記録された遊技玉数に基いて、景品を提供することも実施されている。
さて、客が、パチンコホールで獲得した遊技玉を現金で受け取ることを要求した場合には、現金交換用の特殊景品が渡される。客はこの特殊景品を景品交換所に持ち込むことで現金に替える。特開２００４−９７３１９号公報（景品清算管理方法、その装置、そのシステム）には、遊戯ホール，顧客，景品交換所を巡回流通する特殊景品の清算管理方法に関し、特殊景品に管理データが記録できるような仕組みを設けることにより、特殊景品に関係する不正行為の低減を図ることができる旨記載されている。
また、特開２００２−１２６３３５号公報には、パチンコホールで得た景品を換金するために構成されるシステムが開示されている。このシステムは、電子商取引サイトが提供する景品に関連させて景品の販売を管理するサーバを備えた管理会社と、清算業者がパチンコホールに設置されたホール端末から発行された景品の注文済目録と注文明細レシートを買い上げることで、客が獲得した玉の玉数に応じて現金化できる旨記載されている。
【特許文献１】特開２００４−９７３１９号公報
【特許文献２】特開２００２−１２６３３５号公報
【発明の開示】
【発明が解決しようとする課題】
【０００３】
特殊景品を現金に交換する清算場所では、現金が取り扱われるのにも拘わらず充分な防犯上の設備が施されていない。また、不正行為を防止するためには、上記背景技術に記載したシステムでは不十分である。そして、特殊景品の偽造やカードに遊技玉情報が記録されていた場合には、その遊技玉情報が改ざんされる等の不正が起こり得る。
本発明は、客がパチンコホールで獲得した遊技玉を安全に清算することができ、且つ、不正行為の防止に役立つシステムを提供するものである。
【課題を解決するための手段】
【０００４】
請求項１記載の発明の景品の清算システムは、パチンコホール等の遊技施設に設置され、ネットワークを介して客の獲得した遊技玉数を客のＩＤとともにデータセンターの装置に送信することにより、前記データセンターの装置に前記遊技玉数を記憶させるパチンコホールの装置と、前記データセンターに設置され、前記パチンコホールの装置から前記遊技玉数の情報を受信して、これをデジタル景品データに変換するとともに前記デジタル景品データの清算価格に相当する金額を算出するサーバ、及び、前記デジタル景品データを保存するとともに前記清算価格に相当する金額を保存するデータベースを備えたデータセンターの装置と、前記データベースに保存されている前記金額を払い出すキャッシュディスペンサーと、を備えていることを特徴とする。
請求項２記載の発明は、前記データベースに保存される金額が、景品業者に前記デジタル景品データを販売して得られる金額であることを特徴とする。
請求項３記載の発明は、前記キャッシュディスペンサーが、清算業者が運用する施設に設置され、防犯用の各種センサーを備えていることを特徴とする。
【発明の効果】
【０００５】
請求項１記載の発明の景品の清算システムによると、客は、データセンターに保存されたデータをデジタル景品としてパチンコホールで受け取ることができる。そして、キャッシュディスペンサーがデータセンターから情報を入手して現金を支払うので、遊技玉を安全に現金に交換することができる。また、特殊景品やカードの偽造や改ざん等の不正が出来ないシステムとすることができる。
請求項２記載の発明では、データベースに保存される金額が、景品業者にデジタル景品データを販売して得られる金額であるから、キャッシュディスペンサーから引き出される現金は、景品業者から支払われたものとすることができる。
請求項３記載の発明では、キャッシュディスペンサーには防犯用の各種センサーが取り付けられていることから、清算場所でのトラブルを防ぐことができる。
【発明を実施するための最良の形態】
【０００６】
本発明の景品の清算システムについて図面を基に説明する。
図１は、通信網（ネットワーク）を介して連結されるデータセンターの装置１、パチンコホールの装置２、キャッシュディスペンサー３（以後、ＣＤ３とする。）を説明するものである。この図１に示すように、パチンコホールの装置２は、客が獲得した遊技玉の数を入力する入力手段２ｃと、カードに登録されている客のＩＤを読み取るＩＤ読取手段２ｂと、これらの情報をデータセンターの装置１に送信するとともに必要な情報を受信する送受信装置２ｅとを備え、さらに、デジタル景品提供手段２ｄを備える。
データセンターの装置１は、パチンコホールの装置２に連結する送受信装置１ｅと、装置２から送信される客のＩＤを確認する判定部１ｃと、遊技玉の数をデジタル景品データに変換し、該デジタル景品データを景品業者Ｄ（図２参照）に送信するとともに、前記景品業者Ｄから送信される前記デジタル景品データの買い取り価格を受け取るサーバ１ｂと、客のＩＤごとにデジタル景品データおよび前記デジタル景品データの価格を保存するデータベース１ｄとを備える。
ＣＤ３は、ＬＳＩ化されたＩＰｓｅｃ（Ｓｅｃｕｒｉｔｙ  Ａｒｃｈｉｔｅｃｔｕｒｅ  ｆｏｒ  Ｉｎｔｅｒｎｅｔ  Ｐｒｏｔｏｃｏｌ）を積んだＡＰ（Ａｇｅｎｔ  Ｐｒｏｃｅｓｓｏｒ）ボードを搭載しており、これにより、データセンターの装置１と接続される。そして、ＣＤ３は、客からの現金引き出し要求に対して、データセンターの装置１に保存されている金額を限度として、現金を払い出すように構成されている。
【０００７】
デジタル景品提供手段２ｃで提供されるデジタル景品は、データセンターの装置１に記憶されたデジタル景品データである。このデジタル景品データは、不正防止のため、客のＩＤが記録されたカードに書き込まれることはない。従って、実際、客に手渡されるものは、データセンターの装置１に記憶されたことを証明するカードもしくはシート等の形態になる。そして、デジタル景品データは、例えば、テレホンカードのような度数、一定エリア内で使用できるポイント等の形式を取る。
【０００８】
以下、図２に基き第１の実施の形態を説明する。
先ず、客はデータセンターＡもしくはカード発行業者に個人を識別するＩＤを事前に登録し、ＩＤが記録されたカードを受け取る。
客は、パチンコホールＢで遊技玉を獲得した場合、その遊技玉をカウンター５でカウントし、カウントされた遊技玉の数をパチンコホールの装置２に入力する。
この入力操作の際、ＩＤが記録されたカードをカードリーダーで読み込ませて個人を認証させる。パチンコホールの装置２は、客のＩＤと遊技玉数とをデータセンターＡの装置１に送信する（Ｓ１）。データセンターＡの装置１は、判定部１Ｃ（図１参照）で客のＩＤを確認するとともに、データベース１ｄに保存されている遊技玉数を更新して保存し、さらに、遊技玉数をデジタル景品データに換算（サーバ１ｂ）する。
【０００９】
このデジタル景品データの情報は景品業者Ｄが運用する装置４に送信される（Ｓ２）。装置４は送信されたデジタル景品を即時買い取り、その買取り価格をデータセンターＡの装置１に送信する（Ｓ３）。これにより、装置１のデータベース（１ｄ）には、遊技玉数に応じた価格と、デジタル景品情報が保存される。
パチンコホールの装置２のデジタル景品提供手段２ｃは、装置１のデータベース（１ｄ）に保存されたデジタル景品データから、その情報を入手（Ｓ４）して、データセンターの装置１に記憶されたことを証明するカードもしくはシート（デジタル景品）を発行する。
【００１０】
客がデジタル景品を清算するには、清算業者Ｃが運営するＣＤ３（キャッシュディスペンサー３）を利用する。データセンターＡの装置１は、ＣＤ３からの現金支払い要求（Ｓ５）に対して、データベースに格納されている金額の確認をし、客の支払い要求が適切であった場合に限り、現金の支払いを指示する（Ｓ６）。ＣＤ３は、清算業者Ｃが運営するものであるから、パチンコホールＢとは明確に区別された清算場所に設置され、防犯用の各種センサーが取り付けられている。
【００１１】
防犯用の各種センサーは、ＣＤ３に人間等、動く物体が近づいた場合に感知する赤外線センサー、ＣＤ３の画面に取り付けられたガラスに対し、傷つけ、破壊が行われた場合に感知するガラスセンサー、現金出し入れ用ドアもしくはメンテナンス用カバーに取り付けられ、通常時（現金出し入れ、メンテナンス以外の時）にドアーもしくはカバーが開けられた場合感知するマグネットセンサー等である。
これらの防犯用の各種センサーは、ＣＤ３に接続されたＩＰｓｅｃに接続して、異常を感知した場合には、清算場所に設けた警報装置もしくはロック機構を作動させるようにする。
【００１２】
図３は、清算業者Ｃが景品業者Ｄを兼ねた第２の実施の形態を説明するものである。この図３に示す第２の実施の形態では、清算システムが簡素化されている。
この第２の実施の形態におけるデータセンターＡの装置１は、パチンコホールの装置２から遊技玉数の情報を受信して、これをデジタル景品データに変換するとともにデジタル景品データの買い取り価格に相当する金額を算出するサーバ１ｂが設けられている。従って、景品業者Ｄから送信されるデジタル景品データの買い取り価格を受け取る必要がない。
【００１３】
以下、第１の実施の形態と相違している箇所を、主に、詳述する。
パチンコホールの装置２は、客のＩＤと遊技玉数とをデータセンターＡの装置１に送信する（Ｓ１）。データセンターＡの装置１は、判定部１Ｃで客のＩＤを確認するとともに、遊技玉数をデータベース１ｄに保存する。サーバ１ｂは、遊技玉数をデジタル景品データに換算し、さらに、デジタル景品データの買い取り価格に相当する金額を算出する。これにより、装置１のデータベース１ｄには、遊技玉数、デジタル景品データ、デジタル景品データの買い取り価格に相当する金額が保存される。
【００１４】
パチンコホールの装置２のデジタル景品提供手段２ｃは、装置１のデータベース１ｄに保存されたデジタル景品データから、その情報を入手（Ｓ４）して、データセンターの装置１に記憶されたことを証明するカードもしくはシート（デジタル景品）を発行する。客がデジタル景品を清算するには、清算業者（景品交換業者）Ｃが運営するＣＤ３（キャッシュディスペンサー３）を利用する。データセンターＡの装置１は、ＣＤ３からの現金支払い要求（Ｓ５）に対して、データベースに格納されている金額の確認をし、客の支払い要求が適切であった場合に限り、現金の支払いを指示する（Ｓ６）。
【００１５】
以上、本発明の景品清算システムは、客がパチンコホール等の遊技施設で獲得した遊技玉を安全に清算できるものであるから、不正行為の防止に役立つ。
尚、本発明は、パチンコホールで獲得した遊技玉に限定されるものでなく、パチスロホールで得たコインやメダル等を清算する際にでも、適用できるものである。
【図面の簡単な説明】
【００１６】
【図１】本発明の景品の清算システムを構成する装置の説明図である。
【図２】第１実施例を説明する説明図である。
【図３】第２実施例を説明する説明図である。
【符号の説明】
【００１７】
１  データセンターの装置
２  パチンコホールの装置
３  キャッシュディスペンサー
４  景品業者の装置
５  カウンター
Ａ  データセンター
Ｂ  パチンコホール
Ｃ  清算業者
Ｄ  景品業者
【図１】
2008229232.tif 000003
【図２】
2008229232.tif 000004
【図３】
2008229232.tif 000005